(57)【要約】【課題】特定の対象の嗜好に基づいて、識別情報により地図上で位置が表示される地点を決定する。【解決手段】撮像装置１は、画像データにＥｘｉｆ情報として付加された、画像データが属するカテゴリーを示す情報を取得する分類基準情報取得部１０６と、分類基準情報取得部１０６により取得された、画像データが属するカテゴリーを示す情報の数を各カテゴリー毎に計数するカウント部１０７と、地点位置情報テーブルを取得する地点位置情報取得部１０１と、カウント部１０７による計数結果に基づいて、地点位置情報取得部１０１により地点位置情報テーブルから取得された複数の位置情報に対応する複数の特徴的な地点を地図上で識別表示するための識別情報の表示態様を決定する表示態様決定部１０９と、を備える。【選択図】図１
2014035384.tif 000002
【特許請求の範囲】
【請求項１】
分類対象情報と関連付けられ、当該分類対象情報を複数のカテゴリーのうちの少なくとも何れか一のカテゴリーに分類するための基準となる分類基準情報を取得する第１取得手段と、
この第１取得手段により取得された前記分類基準情報の数を各カテゴリー毎に計数する計数手段と、
前記複数のカテゴリーの各々に属し、表示手段に表示された地図上で表示可能な特徴的な地点の位置情報を複数取得する第２取得手段と、
前記計数手段による計数結果に基づいて、前記第２取得手段により取得された前記複数の位置情報に対応する複数の特徴的な地点を前記地図上で識別表示するための識別情報の表示態様を決定する決定手段と、
を備えることを特徴とする表示制御装置。
【請求項２】
前記決定手段は、更に、前記複数の特徴的な地点のうち、前記計数手段により計数された前記分類基準情報の数がより多いカテゴリーに属する特徴的な地点を優先するように、当該複数の特徴的な地点に係る前記識別情報の表示態様を決定することを特徴とする請求項１に記載の表示制御装置。
【請求項３】
前記決定手段は、更に、前記計数手段により計数された前記分類基準情報の総数が所定数を超えた場合に、前記複数の特徴的な地点に係る前記識別情報の表示態様を決定することを特徴とする請求項１又は２に記載の表示制御装置。
【請求項４】
前記決定手段は、更に、前記表示手段に表示される地図の縮尺に係る情報に基づいて、前記複数の特徴的な地点に係る前記識別情報の表示態様を決定することを特徴とする請求項１〜３の何れか一項に記載の表示制御装置。
【請求項５】
前記決定手段は、更に、前記表示手段に表示される地図の所定範囲内に含まれる特徴的な地点の数に基づいて、前記複数の特徴的な地点に係る前記識別情報の表示態様を決定することを特徴とする請求項１〜４の何れか一項に記載の表示制御装置。
【請求項６】
前記第１取得手段は、前記分類基準情報を各ユーザ毎に取得し、
前記計数手段は、各カテゴリーの前記分類基準情報の数を各ユーザ毎に計数し、
前記決定手段は、前記係数手段による各ユーザ毎の計数結果に基づいて、前記識別情報の表示態様を各ユーザ毎に決定することを特徴とする請求項１〜５の何れか一項に記載の表示制御装置。
【請求項７】
画像情報を前記分類対象情報として取得する第３取得手段と、
前記複数のカテゴリーの中で、前記第３取得手段により取得された画像情報が属する少なくとも一のカテゴリーを特定する第１特定手段と、
この第１特定手段により特定された少なくとも一のカテゴリーに前記画像情報を分類するための基準となる前記分類基準情報を生成する生成手段と、を更に備え、
前記第１取得手段は、前記生成手段により生成された前記分類基準情報を取得することを特徴とする請求項１〜６の何れか一項に記載の表示制御装置。
【請求項８】
前記第２取得手段により取得された前記位置情報と前記画像情報の撮像位置情報とに基づいて、当該画像情報に対応する特徴的な地点を特定する第２特定手段を更に備え、
前記第１特定手段は、前記複数のカテゴリーのうち、前記第２特定手段により特定された特徴的な地点が属するカテゴリーを前記画像情報が属するカテゴリーとして特定することを特徴とする請求項７に記載の表示制御装置。
【請求項９】
前記画像情報に含まれる被写体を認識する認識手段を更に備え、
前記第１特定手段は、前記認識手段による認識結果に基づいて、前記複数のカテゴリーの中で、前記画像情報が属する少なくとも一のカテゴリーを特定することを特徴とする請求項７又は８に記載の表示制御装置。
【請求項１０】
表示制御装置を用いた表示制御方法であって、
分類対象情報と関連付けられ、当該分類対象情報を複数のカテゴリーのうちの少なくとも何れか一のカテゴリーに分類するための基準となる分類基準情報を取得するステップと、
取得された前記分類基準情報の数を各カテゴリー毎に計数するステップと、
前記複数のカテゴリーの各々に属し、表示手段に表示された地図上で表示可能な特徴的な地点の位置情報を複数取得するステップと、
各カテゴリー毎に計数された前記分類基準情報の数の計数結果に基づいて、前記複数の位置情報に対応する複数の特徴的な地点を前記地図上で識別表示するための識別情報の表示態様を決定するステップと、
を有することを特徴とする表示制御方法。
【請求項１１】
表示制御装置のコンピュータを、
分類対象情報と関連付けられ、当該分類対象情報を複数のカテゴリーのうちの少なくとも何れか一のカテゴリーに分類するための基準となる分類基準情報を取得する手段、
取得された前記分類基準情報の数を各カテゴリー毎に計数する手段、
前記複数のカテゴリーの各々に属し、表示手段に表示された地図上で表示可能な特徴的な地点の位置情報を複数取得する手段、
各カテゴリー毎に計数された前記分類基準情報の数の計数結果に基づいて、前記複数の位置情報に対応する複数の特徴的な地点を前記地図上で識別表示するための識別情報の表示態様を決定する手段、
として機能させるためのプログラム。
【発明の詳細な説明】
【技術分野】
【０００１】
本発明は、表示制御装置、表示制御方法及びプログラムに関する。
【背景技術】
【０００２】
従来、景勝地等の地点のうち、撮影を行った人数がより多い地点や、ユーザが一度以上訪れたことがある地点と同一のカテゴリー（分類）に属する地点のみを、地図上で識別表示させる方法が知られている（例えば、特許文献１）。
【先行技術文献】
【特許文献】
【０００３】
【特許文献１】特開２０１０−１９６４１号公報
【発明の概要】
【発明が解決しようとする課題】
【０００４】
しかしながら、撮影を行った人数がより多い地点を全てのユーザが好むとは限らない。即ち、不特定の対象に係る情報源に基づいて、特定の対象の嗜好を把握することはできなかった。また、ユーザが一度訪れた地点であっても当該地点の属するカテゴリーがユーザの好みであるとは限らない。即ち、特定の対象に係る情報源を用いた場合であっても、従来の方法では、特定の対象の嗜好を把握することができなかった。
【０００５】
本発明の課題は、特定の対象の嗜好を考慮して、地図上で複数の特徴的な地点を識別表示させることができる表示制御装置、表示制御方法及びプログラムを提供することである。
【課題を解決するための手段】
【０００６】
上記課題を解決するため、本発明の表示制御装置は、分類対象情報と関連付けられ、当該分類対象情報を複数のカテゴリーのうちの少なくとも何れか一のカテゴリーに分類するための基準となる分類基準情報を取得する第１取得手段と、この第１取得手段により取得された前記分類基準情報の数を各カテゴリー毎に計数する計数手段と、前記複数のカテゴリーの各々に属し、表示手段に表示された地図上で表示可能な特徴的な地点の位置情報を複数取得する第２取得手段と、前記計数手段による計数結果に基づいて、前記第２取得手段により取得された前記複数の位置情報に対応する複数の特徴的な地点を前記地図上で識別表示するための識別情報の表示態様を決定する決定手段と、を備えることを特徴とする。
【０００７】
また、本発明の表示制御方法は、表示制御装置を用いた表示制御方法であって、分類対象情報と関連付けられ、当該分類対象情報を複数のカテゴリーのうちの少なくとも何れか一のカテゴリーに分類するための基準となる分類基準情報を取得するステップと、取得された前記分類基準情報の数を各カテゴリー毎に計数するステップと、前記複数のカテゴリーの各々に属し、表示手段に表示された地図上で表示可能な特徴的な地点の位置情報を複数取得するステップと、各カテゴリー毎に計数された前記分類基準情報の数の計数結果に基づいて、前記複数の位置情報に対応する複数の特徴的な地点を前記地図上で識別表示するための識別情報の表示態様を決定するステップと、を有することを特徴とする。
【０００８】
また、本発明のプログラムは、表示制御装置のコンピュータを、分類対象情報と関連付けられ、当該分類対象情報を複数のカテゴリーのうちの少なくとも何れか一のカテゴリーに分類するための基準となる分類基準情報を取得する手段、取得された前記分類基準情報の数を各カテゴリー毎に計数する手段、前記複数のカテゴリーの各々に属し、表示手段に表示された地図上で表示可能な特徴的な地点の位置情報を複数取得する手段、各カテゴリー毎に計数された前記分類基準情報の数の計数結果に基づいて、前記複数の位置情報に対応する複数の特徴的な地点を前記地図上で識別表示するための識別情報の表示態様を決定する手段、として機能させる。
【発明の効果】
【０００９】
本発明によれば、特定の対象の嗜好を考慮して、地図上で複数の特徴的な地点を識別表示させることができる。
【図面の簡単な説明】
【００１０】
【図１】本発明を適用した一実施形態の撮像装置を示すブロック図である。
【図２】生成処理に係る動作の一例を示すフローチャートである。
【図３】表示処理に係る動作の一例を示すフローチャートである。
【図４】地点位置情報テーブルの一例を示す図である。
【図５】生成部により画像データに付加されるＥｘｉｆ情報の一例を示す図である。
【図６】計数テーブルの一例を示す図である。
【図７】優先度テーブルの一例を示す図である。
【図８】表示部に表示される地図の一例を示す図である。
【図９】地図画像データに付加されるＥｘｉｆ情報の一例を示す図である。
【図１０】優先カテゴリー数特定テーブルの一例を示す図である。
【図１１】表示態様決定部により決定された識別情報の表示態様の一例を示す図である。
【発明を実施するための形態】
【００１１】
以下に、本発明について、図面を用いて具体的な態様を説明する。ただし、発明の範囲は、図示例に限定されない。
図１は、本発明を適用した一実施形態の撮像装置１を示すブロック図である。
撮像装置１は、分類対象情報（例えば、画像データ）が属するカテゴリーを示す分類基準情報の数を各カテゴリー毎に計数する。また、撮像装置１は、地点の位置情報を複数取得する。また、撮像装置１は、各カテゴリー毎の分類基準情報の計数結果に基づいて、複数の位置情報に対応する複数の特徴的な地点を地図上で識別表示するための識別情報の表示態様を決定する。
具体的には、撮像装置１は、例えば、地点位置情報取得部１０１、撮像部１０２、位置特定部１０３、生成部１０４、記録媒体制御部１０５、分類基準情報取得部１０６、カウント部１０７、優先度設定部１０８、表示態様決定部１０９、表示部１１０、操作入力部１１１、中央制御部１１２等を備える。
【００１２】
地点位置情報取得部１０１は、複数のカテゴリーの各々に属し、表示部１１０に表示された地図上で表示可能な特徴的な地点の位置情報を複数取得する第２取得手段として機能する。ここで、特徴的な地点とは、例えば、景勝地、ランドマーク、公共施設、公園、店舗、その他の著名な建造物等、何らかの特徴的な要素を有する地点である。
具体的には、地点位置情報取得部１０１は、例えば、地点の名称、地点の位置を示す各種の情報（例えば、緯度及び経度を示す座標情報や、高度の値等）、地点に存する被写体の画像、地点が属するカテゴリー等が関連付けられた地点位置情報テーブルＴ１（図４参照）を、図示しない記録媒体から読み出して取得する。
図４に示す地点位置情報テーブルＴ１では、複数の地点の各々に係る各種の情報どうしが関連付けられている。例えば、地点の名称が「Ａ教会」である地点の場合、「-36.901546,174.786272」により示される緯度、経度及び「10［ｍ］」の高度により示される位置情報や、「Ａ教会」の画像、「Ａ教会」が属するカテゴリーである「建物」のカテゴリーと関連付けられている。他の地点に係る各種の情報どうしも、同様である。このように、地点の名称と、地点が属するカテゴリーとは、予め関連付けられている。
【００１３】
撮像部１０２は、被写体を撮像する。
具体的には、撮像部１０２は、図示は省略するが、ズームレンズやフォーカスレンズ等の複数のレンズから構成されたレンズ部、レンズ部を通過する光の量を調整する絞りと、ＣＣＤ（Charge Coupled Device）やＣＭＯＳ（Complementary Metal-oxide Semiconductor）等のイメージセンサから構成され、レンズ部の各種レンズを通過した光学像を二次元の画像信号に変換する電子撮像部、タイミング発生器、ドライバ等を備えている。撮像部１０２は、タイミング発生器、ドライバにより電子撮像部を走査駆動して、所定周期毎に、レンズ部の各種レンズを通過した光学像を電子撮像部により二次元の画像信号に変換させ、電子撮像部の撮像領域から１画面分ずつ画像フレームを読み出して出力する。
【００１４】
位置特定部１０３は、撮像装置１本体の存する位置を特定する。
具体的には、位置特定部１０３は、図示は省略するが、複数のＧＰＳ（Global Positioning System）衛星からの電波を受信するＧＰＳアンテナや、当該アンテナにより受信された電波を復調し、復調された複数のＧＰＳ衛星からの信号に基づいて撮像装置１本体の絶対的な２次元の現在位置（緯度、経度）を測位して当該位置に係る位置情報（例えば、緯度、経度の座標情報）を出力するＧＰＳ受信処理部等を有する。位置特定部１０３は、例えば、所定時間周期で撮像装置１本体の位置を特定し、特定された位置を示す位置情報を現在位置情報として出力する。
【００１５】
なお、ＧＰＳ信号による位置の特定は、位置特定部１０３による位置の特定方法の一例であり、これに限られるものではない。例えば、予め無線の基地局や無線ＬＡＮ（Local Area Network）のアクセスポイント（Access Point）の位置を登録しておき、所定の位置で検出された所定数の基地局やアクセスポイントとの間の通信電波の強度等に基づいて基地局やアクセスポイントまでの距離を演算し、撮像装置１の存する位置を特定してもよい。
【００１６】
生成部１０４は、撮像部１０２により撮像された画像に基づいて、画像情報（画像データ）を取得する。また、生成部１０４は、複数のカテゴリーの中で、取得された画像情報が属する少なくとも一のカテゴリーを特定する。また、生成部１０４は、特定された少なくとも一のカテゴリーに画像情報を分類するための基準となる分類基準情報を生成する。そして、生成部１０４は、生成された分類基準情報と画像情報とを関連付ける。これらの処理に係る構成として、生成部１０４は、画像取得部１０４ａ、撮像位置取得部１０４ｂ、地点特定部１０４ｃ、カテゴリー特定部１０４ｄ等を備える。
【００１７】
画像取得部１０４ａは、画像情報を取得する第３取得手段として機能する。
具体的には、画像取得部１０４ａは、例えば、撮像部１０２の電子撮像部から転送された画像信号に基づく画像フレームのアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶ色空間の画像データ）を生成することで、画像データ（例えば、図５に示す画像データＧ等）を取得する。
【００１８】
撮像位置取得部１０４ｂは、撮像部１０２による画像の撮像時に、位置特定部１０３により特定された撮像装置１本体の存する位置を撮像位置情報として取得する。
具体的には、撮像位置取得部１０４ｂは、例えば、位置特定部１０３から所定時間周期で出力される現在位置情報のうち、最新の現在位置情報を保持する。そして、撮像位置取得部１０４ｂは、撮像部１０２による画像の撮像時に、保持している現在位置情報を当該画像の撮像位置情報として取得する。即ち、撮像位置取得部１０４ｂにより取得された撮像位置情報は、画像取得部１０４ａにより取得された画像情報の撮像位置情報である。
【００１９】
なお、上記の撮像位置取得部１０４ｂの具体的な動作は、撮像位置情報の取得方法の一例であって、これに限られるものでない。例えば、撮像位置取得部１０４ｂは、撮像部１０２による画像の撮像時に、位置特定部１０３を動作させて撮像装置１の位置を特定し、特定された位置から、撮像位置情報を取得するようにしてもよい。
【００２０】
地点特定部１０４ｃは、地点位置情報取得部１０１により取得された位置情報と撮像位置取得部１０４ｂにより取得された画像情報の撮像位置情報とに基づいて、画像情報に対応する特徴的な地点を特定する第２特定手段として機能する。
具体的には、地点特定部１０４ｃは、例えば、撮像位置取得部１０４ｂにより取得された撮像位置情報と地点位置情報取得部１０１により取得された地点位置情報テーブルＴ１に含まれる各々の地点の位置情報とを比較し、撮像位置情報に最も近い位置を示す地点の位置情報を特定する。また、地点特定部１０４ｃは、特定された地点の位置情報と関連付けられた名称を地点位置情報テーブルＴ１（図４参照）から抽出する。そして、地点特定部１０４ｃは、抽出された名称を画像に対応する地点の名称として特定する。
【００２１】
カテゴリー特定部１０４ｄは、複数のカテゴリーの中で、画像取得部１０４ａにより取得された画像情報が属する少なくとも一のカテゴリーを特定する第１特定手段として機能する。
具体的には、カテゴリー特定部１０４ｄは、地点特定部１０４ｃにより抽出された名称と関連付けられたカテゴリーを地点位置情報テーブルＴ１から抽出する。そして、カテゴリー特定部１０４ｄは、抽出されたカテゴリーを画像データが属するカテゴリーとして特定する。即ち、カテゴリー特定部１０４ｄは、複数のカテゴリーのうち、地点特定部１０４ｃにより特定された特徴的な地点が属するカテゴリーを画像取得部１０４ａにより取得された画像情報（画像データ）が属するカテゴリーとして特定する。
【００２２】
生成部１０４は、画像取得部１０４ａにより取得された画像情報に対して、撮像位置取得部１０４ｂにより取得された撮像位置情報と、地点特定部１０４ｃにより特定された特徴的な地点を示す情報（名称）と、カテゴリー特定部１０４ｄにより特定されたカテゴリーを示す情報とを付加する。
具体的には、生成部１０４は、例えば、画像取得部１０４ａにより取得された画像データを、Ｅｘｉｆ（Exchangeable image file format）規格に対応した形式とする。そして、生成部１０４は、Ｅｘｉｆ情報として、撮像位置情報と、地点の名称を示す情報と、画像データが属するカテゴリーを示す情報とを画像データに付加する（図５参照）。ここで、Ｅｘｉｆ情報のうち、カテゴリー特定部１０４ｄにより特定されたカテゴリーを示す情報、即ち、画像データが属するカテゴリーを示す情報は、分類対象情報としての画像情報（画像データ）と関連付けられ、当該分類対象情報を複数のカテゴリーのうちの少なくとも何れか一のカテゴリーに分類するための基準となる分類基準情報を構成している。このように、生成部１０４は、カテゴリー特定部１０４ｄにより特定された少なくとも一のカテゴリーに画像情報を分類するための基準となる分類基準情報を生成する生成手段として機能する。
図５に示す画像データＧには、撮像位置取得部１０４ｂにより取得された「-38.856867,174.788002」の緯度、経度で示される撮像位置情報と、地点特定部１０４ｃにより特定された「Ｄ山」の名称と、カテゴリー特定部１０４ｄにより特定された「山」のカテゴリーと、を示すＥｘｉｆ情報が付加されている。
また、生成部１０４は、Ｅｘｉｆ情報が付加された画像データを記録媒体制御部１０５及び分類基準情報取得部１０６に出力する。
【００２３】
記録媒体制御部１０５は、記録媒体Ｃが着脱自在に構成され、装着された記録媒体Ｃからのデータの読み出しや記録媒体Ｃに対するデータの書き込みを制御する。
具体的には、記録媒体制御部１０５は、例えば、生成部１０４から出力された画像データ、即ち、Ｅｘｉｆ情報が付加された画像データ等、撮像装置１の各部により生成される各種のデータを、記録媒体Ｃに記録する。
【００２４】
分類基準情報取得部１０６は、分類対象情報（画像データ）と関連付けられ、当該分類対象情報を複数のカテゴリーのうちの少なくとも何れか一のカテゴリーに分類するための基準となる分類基準情報（カテゴリーを示す情報）を取得する第１取得手段として機能する。
具体的には、分類基準情報取得部１０６は、例えば、生成部１０４から出力された画像データを取得する。そして、分類基準情報取得部１０６は、画像データに付加されたＥｘｉｆ情報のうち、画像データが属するカテゴリーを示す情報を取得する。ここで、分類基準情報取得部１０６により取得される画像データは、特定の対象（撮像装置１のユーザ）により撮像された画像に基づく。即ち、当該画像データが属するカテゴリーを示す情報は、撮像装置１のユーザに係る分類基準情報である。
また、分類基準情報取得部１０６は、画像データが属するカテゴリーを示す情報を、カウント部１０７に出力する。
【００２５】
カウント部１０７は、分類基準情報取得部１０６により取得された分類基準情報の数を各カテゴリー毎に計数する計数手段として機能する。
具体的には、カウント部１０７は、例えば、分類基準情報取得部１０６から出力された、画像データが属するカテゴリーを示す情報の数を各カテゴリー毎にカウント（計数）する。言い換えれば、カウント部１０７は、画像データが属するカテゴリーを示す情報の数を各カテゴリー毎にカウントすることで、複数のカテゴリーのうち、少なくともいずれか一のカテゴリーに属する画像データの数を各カテゴリー毎にカウントしている。
【００２６】
また、カウント部１０７は、カウントされた、各カテゴリーに属する分類基準情報の数を示す情報を出力する。
具体的には、カウント部１０７は、例えば、各カテゴリーと、各カテゴリーに属する分類基準情報（画像データが属するカテゴリーを示す情報）の数（カウント数）とが関連付けられた、計数テーブルＴ２（図６参照）を記録するための情報を記録媒体制御部１０５に出力する。計数テーブルＴ２は、記録媒体Ｃに記録される。
図６に示す計数テーブルＴ２は、「建物」のカテゴリーに属する分類基準情報の数が「１０」であり、「山」のカテゴリーに属する分類基準情報の数が「５」であり、「駅」のカテゴリーに属する分類基準情報の数が「２」であり、「公園」のカテゴリーに属する分類基準情報の数が「１」であることを示している。
【００２７】
優先度設定部１０８は、カウント部１０７により計数された分類基準情報の数がより多いカテゴリーに、より高い優先度を設定する。
具体的には、優先度設定部１０８は、例えば、優先度の高低を示す番号と、各番号で示される優先度に対応するカテゴリーとが関連付けられた、優先度テーブルＴ３（図７参照）を記録するための情報を記録媒体制御部１０５に出力する。優先度テーブルＴ３は、記録媒体Ｃに記録される。
【００２８】
図７に示す優先度テーブルＴ３では、最も高い優先度を示す番号として１が設定され、２番目に優先度が高い番号として２が設定されている。即ち、優先度テーブルＴ３において、Ｎ番目に高い優先度を示す番号の値は、Ｎである。
また、優先度テーブルＴ３に記録された優先度とカテゴリーとの対応関係は、計数テーブルＴ２（図６参照）に記録された各カテゴリーの分類基準情報の数の多少に応じたものとなる。即ち、優先度テーブルＴ３は、例えば、計数テーブルＴ２にて、分類基準情報の数が最も多い「建物」のカテゴリーと、最も高い優先度を示す「１」の番号とを関連付ける。また、優先度テーブルＴ３は、分類基準情報の数が２番目に多い「山」のカテゴリーと、２番目に高い優先度を示す「２」の番号とを関連付ける。他のカテゴリーと、優先度を示す番号との対応関係についても、同様である。
【００２９】
表示態様決定部１０９は、カウント部１０７による計数結果に基づいて、地点位置情報取得部１０１により取得された複数の位置情報に対応する複数の特徴的な地点を表示部１１０に表示された地図上で識別表示するための識別情報の表示態様を決定する決定手段として機能する。
具体的には、表示態様決定部１０９は、例えば、地図取得部１０９ａと、縮尺取得部１０９ｂと、地点数取得部１０９ｃとを備える。
【００３０】
地図取得部１０９ａは、表示部１１０に表示される地図を取得する。
具体的には、地図取得部１０９ａは、例えば、複数の地図画像データのうち、いずれか一の地図画像データを、図示しない記録装置から読み出して取得する。
【００３１】
ここで、表示部１１０に表示される地図について説明する。
図８（ａ）〜（ｃ）に示す例は、縮尺がそれぞれ異なる３つの地図Ａ１〜Ａ３を示している。ここで、地図Ａ２は、地図Ａ１に含まれる一部分を拡大した地図である。また、地図Ａ３は、地図Ａ２に含まれる一部分を拡大した地図である。即ち、地図Ａ２は地図Ａ１よりも縮尺が大きく、地図Ａ３は地図Ａ１、Ａ２よりも縮尺が大きい。
また、地図Ａ１〜Ａ３の各々に対応する地図画像データはそれぞれ、地図の縮尺に係る情報や、地図により表示部１１０に表示される地域の範囲を示す情報（範囲情報）と関連付けられている（図９参照）。具体的には、地図Ａ１〜Ａ３の各々に対応する地図画像データは、例えば、Ｅｘｉｆ規格に対応した形式の画像データであり、各々の地図の縮尺の大小を示す値（縮尺値）と、各々の地図により表示部１１０に表示される地域の範囲を緯度、経度により示す範囲情報とが、Ｅｘｉｆ情報として付加されている。
図９では、地図Ａ１の地図画像データと、縮尺値である「０」と、地図の範囲情報である「-33.336035,167.944334」及び「-48.731557,-170.346681」とが関連付けられている。ここで、「-33.336035,167.944334」は、方形状の画像領域を有する地図Ａ１の左上の頂点（始点）に対応し、「-48.731557,-170.346681」は、地図Ａ１の右下の頂点（終点）に対応する。
なお、図９では、地図Ａ１の地図画像データについてのみ例示しているが、地図Ａ２、Ａ３の地図画像データにも地図Ａ１の地図画像データと同様に、縮尺値及び範囲情報がＥｘｉｆ情報として付加されている。
また、本実施形態では、縮尺値の一例として、「０（最小）」〜「２（最大）」を用いている。ここで、地図Ａ１〜Ａ３のうち、縮尺が最も小さい地図Ａ１の縮尺値が「０」であり、縮尺が最も大きい地図Ａ３の縮尺値が「２」であり、地図Ａ１、Ａ３の中間の縮尺である地図Ａ２の縮尺値が「１」である。
【００３２】
また、撮像装置１は、地図Ａ１〜Ａ３と同様の方法で縮尺値や範囲情報と関連付けられた各地の地図画像データを記録している。
また、撮像装置１は、複数の地図画像データのうち、表示部１１０に表示される一の地図画像データを示す表示設定情報を、図示しない記録装置に記録している。
地図取得部１０９ａは、図示しない記録装置から表示設定情報を読み出して取得し、表示設定情報に対応する一の地図画像データを取得する。
なお、表示部１１０に表示される一の地図画像データの決定方法については後述する。
【００３３】
縮尺取得部１０９ｂは、表示部１１０に表示される地図の縮尺に係る情報を取得する。
具体的には、縮尺取得部１０９ｂは、例えば、地図取得部１０９ａにより取得された地図画像データから、縮尺値のＥｘｉｆ情報を読み出して取得する。
【００３４】
表示態様決定部１０９は、縮尺取得部１０９ｂにより取得された地図の縮尺に係る情報に基づいて、複数の特徴的な地点に係る識別情報の表示態様を決定する。
具体的には、表示態様決定部１０９は、例えば、優先カテゴリー数特定テーブルＴ４（図１０参照）を図示しない記録装置から読み出して取得する。優先カテゴリー数特定テーブルＴ４は、縮尺値と優先カテゴリー数とが関連付けられた情報を含む。表示態様決定部１０９は、優先カテゴリー数特定テーブルＴ４に含まれる優先カテゴリー数のうち、縮尺取得部１０９ｂにより取得された縮尺値に対応する優先カテゴリー数を特定する。
図１０に示す優先カテゴリー数特定テーブルＴ４は、例えば「０」の縮尺値と、「３」の優先カテゴリー数とをそれぞれ関連付けている。即ち、縮尺取得部１０９ｂにより取得された縮尺値が「０」である場合、表示態様決定部１０９は、優先カテゴリー数として「３」を特定する。この場合、カテゴリーの優先度を示す番号が１〜３のいずれかの番号であるカテゴリーが、地図上で識別情報が表示されるカテゴリーとなる。同様に、縮尺取得部１０９ｂにより取得された縮尺値が「１」である場合、表示態様決定部１０９は、優先カテゴリー数として「２」を特定する。また、縮尺取得部１０９ｂにより取得された縮尺値が「２」である場合、表示態様決定部１０９は、優先カテゴリー数として「１」を特定する。
また、表示態様決定部１０９は、優先度テーブルＴ３（図７参照）を読み出し、各カテゴリーに設定された優先度を取得する。そして、表示態様決定部１０９は、優先度テーブルＴ３にてより高い優先度が設定されたカテゴリーを順次抽出する処理を、特定された優先カテゴリー数に対応する回数だけ繰り返し、抽出されたカテゴリーを表示対象のカテゴリーとして決定する。例えば、優先カテゴリー数の値がＭである場合、表示態様決定部１０９は、設定された優先度の番号が、１〜Ｍのいずれかの番号である各カテゴリーを表示対象のカテゴリーとして抽出し、表示対象のカテゴリーとして決定する。
また、表示態様決定部１０９は、地点位置情報取得部１０１により取得された地点位置情報テーブルＴ１に含まれる各地点のうち、表示対象のカテゴリーに属する地点を抽出する。
【００３５】
地点数取得部１０９ｃは、表示部１１０に表示される地図の所定範囲（縮尺値に応じた範囲）内に含まれる地点の数を取得する。
具体的には、地点数取得部１０９ｃは、例えば、地図取得部１０９ａにより取得された地図画像データに付加されたＥｘｉｆ情報のうち、表示部１１０に表示される地域の範囲を緯度、経度により示す範囲情報を読み出して取得する。また、地点数取得部１０９ｃは、表示対象のカテゴリーに属する地点の座標情報が、取得された範囲情報により示される緯度、経度の範囲内であるか否か判定する。ここで、地点の座標情報が、範囲情報により示される緯度、経度の範囲内であると判定された場合、地点数取得部１０９ｃは、地図取得部１０９ａにより取得された地図上に含まれる地点であると判定する。一方、地点の座標情報が、範囲情報により示される緯度、経度の範囲内でないと判定された場合、地点数取得部１０９ｃは、地図取得部１０９ａにより取得された地図上に含まれない地点であると判定する。そして、地点数取得部１０９ｃは、地図取得部１０９ａにより取得された地図上に含まれる地点であると判定された地点の数をカウントし、カウントされた数を取得する。
【００３６】
表示態様決定部１０９は、地点数取得部１０９ｃにより取得された地点の数が、所定数を超えているか否か判定する。ここで、所定数は、識別情報の表示数の上限を示す。
地点数取得部１０９ｃにより取得された地点の数が、所定数を超えていないと判定された場合、表示態様決定部１０９は、抽出された表示対象のカテゴリーに属する全ての地点について、地点を示す識別情報が表示されるように、識別情報の表示態様を決定する。一方、地点数取得部１０９ｃにより取得された地点の数が、所定数を超えていると判定された場合、表示態様決定部１０９は、抽出された表示対象のカテゴリーに属する地点のうち、所定数以下の地点について、地点を示す識別情報が表示されるように、表示態様を決定する。
【００３７】
例えば、縮尺取得部１０９ｂにより取得された縮尺値が「１」である場合について、表示態様決定部１０９により決定される識別情報の表示態様について、図１１（ａ）、（ｂ）を参照して例示する。ここで、識別情報とは、例えば、地図上で地点を示すアイコン等の指標である。即ち、この指標が表示された地図上の位置が、特徴的な地点の位置を示す。
縮尺取得部１０９ｂにより取得された縮尺値が「１」であることから、表示部１１０に表示される地図は、地図Ａ２となる。また、表示態様決定部１０９は、優先カテゴリー数特定テーブルＴ４（図１０参照）に基づいて、「１」の縮尺値に対応する優先カテゴリー数として「２」を特定する。ここで、優先度テーブルＴ３（図７参照）にて、優先度が１、２であるカテゴリーは「建物」、「山」であるので、表示態様決定部１０９は、地点位置情報取得部１０１により取得された地点位置情報テーブルＴ１（図４参照）に含まれる各地点の情報のうち、「建物」及び「山」のカテゴリーに属する地点に係る情報を抽出する。即ち、表示態様決定部１０９は、「Ａ教会」、「Ｃ博物館」、「Ｄ山」、「Ｆ山脈」及び「Ｇ教会」に係る情報を抽出する。このうち、地点数取得部１０９ｃにより、地図Ａ２の範囲内に含まれると判定される地点は「Ａ教会」、「Ｃ博物館」及び「Ｄ山」の３地点である。
ここで、所定数が３以上である場合、表示態様決定部１０９は、図１１（ａ）に示すように、「Ａ教会」、「Ｃ博物館」及び「Ｄ山」の３地点の位置を地図Ａ２上で示す識別情報ＰＡ、ＰＣ、ＰＤが表示されるよう表示態様を決定する。一方、所定数が２である場合、表示態様決定部１０９は、図１１（ｂ）に示すように、より優先度の高い「建物」のカテゴリーに属する「Ａ教会」及び「Ｃ博物館」の２地点の位置を地図Ａ２上で示す識別情報ＰＡ、ＰＣが表示されるよう表示態様を決定する。
このように、表示態様決定部１０９は、縮尺取得部１０９ｂにより取得された地図の縮尺に係る情報と、地点数取得部１０９ｃにより取得された地点の数とに基づいて、識別情報の表示態様を決定する。
なお、図１１（ａ）、（ｂ）に示すように、表示態様決定部１０９は、地図上で位置が示される地点に対応するサムネイル画像を更に表示するように、表示態様を決定してもよい。
【００３８】
また、表示態様決定部１０９は、決定された識別情報の表示態様に応じて、地点の位置を示す情報（例えば、座標情報）に対応する位置を、地図取得部１０９ａにより取得された地図上で示すための表示画像データを生成し、表示部１１０に出力する。
【００３９】
表示部１１０は、表示制御部１１０ａと、表示パネル１１０ｂとを備える。
表示制御部１１０ａは、画像を表示パネル１１０ｂに表示させる制御を行う。具体的には、表示制御部１１０ａは、例えば、表示態様決定部１０９から出力された表示画像データを取得する。そして、表示制御部１１０ａは、取得された表示画像データに対応するビデオ信号を生成し、生成されたビデオ信号を表示パネル１１０ｂに出力する。
表示パネル１１０ｂは、例えば、液晶表示装置や有機エレクトロルミネッセンス（Electro-Luminescence）ディスプレイ等の表示装置であり、表示制御部１１０ａからのビデオ信号に基づいて、所定の画像を表示画面に表示する。具体的には、表示パネル１１０ｂは、表示制御部１１０ａから出力されたビデオ信号に基づいて、表示画像データを表示する。
【００４０】
操作入力部１１１は、撮像装置１の動作に係る各種の入力を受け付ける。具体的には、操作入力部１１１は、図示は省略するが、データの選択、送り操作等を行うための上下左右移動キーや各種機能キー等によって構成される操作部を備え、これらの操作部の操作に応じて所定の操作信号を中央制御部１１２に出力する。
例えば、表示部１１０に表示される一の地図画像データは、ユーザによる操作部の操作に応じて決定される。具体的には、撮像装置１には、地図により表示部１１０に表示される地域を選択決定するための地図選択機能が設けられており、ユーザによる所定のキー操作（例えば、左右移動キー操作等）に応じて、表示部１１０に表示される地図が選択決定される。
また、撮像装置１には、選択された地域に対応する地図の縮尺を選択決定するためのズーム操作機能が設けられており、ユーザによる所定のキー操作（例えば、上下移動キー操作等）に応じて、表示部１１０に表示される地図の縮尺が選択される。ここで、表示態様決定部１０９は、ユーザによる操作部の操作に応じて選択された縮尺に対応する地図画像データのＥｘｉｆ情報に含まれる縮尺値に応じて、優先カテゴリー数を特定し、特定された優先カテゴリー数に対応したカテゴリーに属する地点の位置が地図上で示されるように、識別情報の表示態様を決定する。
なお、操作入力部１１１を介したユーザの操作により、表示部１１０に表示された識別情報のうち、少なくともいずれか一の識別情報を選択可能としてもよい。この場合、表示態様決定部１０９は、選択された識別情報に対して所定の処理（例えば、ハイライト表示や点滅表示等のための処理等）が施されるように表示態様を決定するようにしてもよい。
【００４１】
中央制御部１１２は、撮像装置１の各部を制御するものである。具体的には、中央制御部１１２は、図示は省略するが、ＣＰＵ（Central Processing Unit）、ＲＡＭ（Random Access Memory）、ＲＯＭ（Read Only Memory）を備え、撮像装置１用の各種処理プログラム（図示略）や操作入力部１１１により入力された操作信号等に従って各種の制御動作を行う。
中央制御部１１２は、例えば、ユーザによる操作部の操作に応じて表示部１１０に表示するよう決定された一の地図画像データを示す表示設定情報を生成し、図示しない記録装置に記録させる。また、中央制御部１１２は、位置特定部１０３から出力された現在位置情報が示す位置に対応する地図画像データを、表示設定情報に設定するようにしてもよい。
【００４２】
次に、撮像装置１による分類基準情報の生成処理について、図２を参照して説明する。
図２は、生成処理に係る動作の一例を示すフローチャートである。
まず、ユーザの操作に応じて、撮像部１０２による被写体の撮像が行われる（ステップＳ１）。また、画像取得部１０４ａは、撮像部１０２により撮像された画像データを取得する。
次に、撮像位置取得部１０４ｂは、位置特定部１０３により特定された撮像装置１の存する位置を画像データの撮像位置情報として取得する（ステップＳ２）。
【００４３】
次に、地点特定部１０４ｃは、地点位置情報取得部１０１により取得された位置情報と撮像位置取得部１０４ｂにより取得された画像データの撮像位置情報とに基づいて、画像データに対応する特徴的な地点を特定する（ステップＳ３）。具体的には、地点特定部１０４ｃは、例えば、撮像位置取得部１０４ｂにより取得された画像データの撮像位置情報と地点位置情報取得部１０１により取得された地点位置情報テーブルＴ１（図４参照）に含まれる各々の地点の位置情報とを比較し、画像の撮像位置情報に最も近い位置を示す地点の位置情報を特定する。また、地点特定部１０４ｃは、特定された地点の位置情報と関連付けられた名称を地点位置情報テーブルＴ１から抽出し、抽出された名称を画像データに対応する地点として特定する。
次に、カテゴリー特定部１０４ｄは、地点位置情報取得部１０１により取得された位置情報にて地点特定部１０４ｃにより特定された地点が属するカテゴリーを画像データが属するカテゴリーとして特定する（ステップＳ４）。具体的には、カテゴリー特定部１０４ｄは、地点特定部１０４ｃにより抽出された名称と関連付けられたカテゴリーを地点位置情報テーブルＴ１から抽出し、抽出されたカテゴリーを画像データが属するカテゴリーとして特定する。
次に、生成部１０４は、画像取得部１０４ａにより取得された画像データに対して、撮像位置取得部１０４ｂにより取得された撮像位置情報と、地点特定部１０４ｃにより特定された地点（名称）を示す情報と、カテゴリー特定部１０４ｄにより特定されたカテゴリー（画像データが属するカテゴリー）を示す情報とを付加する（ステップＳ５）。具体的には、生成部１０４は、例えば、画像取得部１０４ａにより取得された画像データを、Ｅｘｉｆ規格に対応した形式の画像データとし、撮像位置情報と、地点の名称を示す情報と、画像データが属するカテゴリーを示す情報とを、Ｅｘｉｆ情報として画像データに付加する（図５参照）。また、生成部１０４は、Ｅｘｉｆ情報が付加された画像データを出力する。
Ｅｘｉｆ情報として付加された情報のうち、画像データが属するカテゴリーを示す情報は、分類基準情報取得部１０６により取得され、カウント部１０７に出力される。
【００４４】
次に、カウント部１０７は、分類基準情報取得部１０６により取得された分類基準情報、即ち、画像データが属するカテゴリーを示す情報の数を各カテゴリー毎にカウントする（ステップＳ６）。また、カウント部１０７は、カウントされた、各カテゴリーに属する分類基準情報の数を示す情報をカウント結果として出力する（図６；計数テーブルＴ２参照）。
次に、優先度設定部１０８は、カウント部１０７によりカウントされた分類基準情報の数に応じて、各カテゴリーに優先度を設定する（ステップＳ７）。
具体的には、優先度設定部１０８は、例えば、カウント部１０７により計数された分類基準情報の数がより多いカテゴリーに、より高い優先度を設定し、設定された優先度の高低を示す番号と、各番号で示される優先度に対応するカテゴリーとが関連付けられた情報を出力する（図７；優先度テーブルＴ３参照）。
【００４５】
次に、記録媒体制御部１０５は、生成部１０４から出力された画像データと、カウント部１０７から出力されたカウント結果と、優先度設定部１０８から出力された優先度を示す情報とを、記録媒体Ｃに記録する（ステップＳ８）。具体的には、記録媒体制御部１０５は、例えば、Ｅｘｉｆ情報が付加された画像データ（図５参照）と、計数テーブルＴ２（図６参照）と、優先度テーブルＴ３（図７参照）とを記録媒体Ｃに記録する。
【００４６】
次に、表示態様決定部１０９により決定された識別情報の表示態様に基づいた、撮像装置１の表示処理について、図３を参照して説明する。
図３は、表示処理に係る動作の一例を示すフローチャートである。
まず、地図取得部１０９ａは、表示部１１０に表示される地図を取得する（ステップＳ１１）。具体的には、地図取得部１０９ａは、表示設定情報を図示しない記録装置から読み出して取得し、取得された表示設定情報に設定されている一の地図画像データを取得する。
次に、縮尺取得部１０９ｂは、表示部１１０に表示される地図の縮尺に係る情報を取得する（ステップＳ１２）。具体的には、縮尺取得部１０９ｂは、例えば、地図取得部１０９ａにより取得された地図画像データから、縮尺値のＥｘｉｆ情報を読み出して取得する（図９参照）。
次に、表示態様決定部１０９は、縮尺取得部１０９ｂにより取得された地図の縮尺に係る情報に基づいて、地図の縮尺の大小に応じた優先カテゴリー数Ｍを特定する（ステップＳ１３）。具体的には、表示態様決定部１０９は、例えば、優先カテゴリー数特定テーブルＴ４（図１０参照）を図示しない記録装置から読み出して取得し、取得された優先カテゴリー数特定テーブルＴ４に含まれる優先カテゴリー数のうち、縮尺取得部１０９ｂにより取得された縮尺値に対応する優先カテゴリー数Ｍを特定する。
【００４７】
また、表示態様決定部１０９は、優先度設定部１０８により各カテゴリーに設定された優先度を取得する（ステップＳ１４）。具体的には、表示態様決定部１０９は、例えば、記録媒体Ｃに記録された優先度テーブルＴ３（図７参照）を読み出して、各カテゴリーに設定された優先度の番号を取得する。
また、地点位置情報取得部１０１は、複数のカテゴリーの各々に属し、表示部１１０に表示された地図上で表示可能な特徴的な地点の位置情報を取得する（ステップＳ１５）。具体的には、地点位置情報取得部１０１は、例えば、地点位置情報テーブルＴ１（図４参照）を取得し、各地点の位置情報等を取得する。
【００４８】
次に、表示態様決定部１０９は、地点の抽出が完了したカテゴリー数を管理するためのカウンタＮを所定の初期値（例えば、Ｎ＝１）で設定する（ステップＳ１６）。
次に、表示態様決定部１０９は、地点位置情報取得部１０１により位置情報が取得された地点のうち、Ｎ番目に優先されるカテゴリーに属する地点を抽出する（ステップＳ１７）。具体的には、表示態様決定部１０９は、例えば、地点位置情報取得部１０１により取得された地点位置情報テーブルＴ１から、優先度テーブルＴ３（図７参照）に設定された優先度の番号がＮであるカテゴリーに属する地点に係る各種の情報を抽出する。
【００４９】
次に、表示態様決定部１０９は、Ｎ番目に優先されるカテゴリーに属する全ての地点が抽出されたか否か判定する（ステップＳ１８）。ここで、Ｎ番目に優先されるカテゴリーに属する全ての地点が抽出されていないと判定された場合（ステップＳ１８；ＮＯ）、表示態様決定部１０９は、ステップＳ１７の処理に移行する。
一方、ステップＳ１８にて、Ｎ番目に優先されるカテゴリーに属する全ての地点が抽出されたと判定された場合（ステップＳ１８；ＹＥＳ）、表示態様決定部１０９は、カウンタＮの値が、縮尺取得部１０９ｂにより取得された優先カテゴリー数Ｍの値と同一であるか否か判定する（ステップＳ１９）。ここで、カウンタＮの値が、縮尺取得部１０９ｂにより取得された優先カテゴリー数Ｍの値と同一でないと判定された場合（ステップＳ１９；ＮＯ）、表示態様決定部１０９は、カウンタＮの値に１を加算し（ステップＳ２０）、ステップＳ１７の処理に移行する。
【００５０】
一方、ステップＳ１９にて、カウンタＮの値が、縮尺取得部１０９ｂにより取得された優先カテゴリー数Ｍの値と同一であると判定された場合（ステップＳ２０；ＹＥＳ）、表示部１１０は、表示態様決定部１０９により抽出された地点の位置情報を地図上で示す表示を行う（ステップＳ２１）。具体的には、例えば、表示態様決定部１０９が、ステップＳ１７にて抽出された地点のうち、地点数取得部１０９ｃにより、地図取得部１０９ａにより取得された地図の所定範囲内に含まれる地点であると判定され、かつ、所定数以下の数の地点の位置を示す情報（例えば、座標情報）に対応する位置を、当該地図上で示すための表示画像データを生成し、表示部１１０に出力する。そして、表示部１１０の表示制御部１１０ａが、表示画像データに応じたビデオ信号を生成して表示パネル１１０ｂに出力し、表示パネル１１０ｂに表示画像データに応じた表示を行わせる（図１１（ａ）、（ｂ）参照）。
【００５１】
以上のように、本実施形態の撮像装置１によれば、分類対象情報（例えば、画像データ）と関連付けられた分類基準情報（カテゴリーを示す情報）の数の計数結果に基づいて、複数の位置情報に対応する複数の特徴的な地点を表示部１１０に表示される地図上で識別表示するための識別情報の表示態様を決定するので、特定の対象（例えば、撮像装置１のユーザ）の嗜好を識別情報の表示態様に反映することができる。例えば、撮像装置１のユーザにより撮像された画像が属するカテゴリーに基づいて、ユーザの嗜好をカテゴリー単位で把握することができることから、より好まれるカテゴリーに属する地点の位置をより優先的に地図上で示すように識別情報の表示態様を決定することができる。このように、特定の対象の嗜好を考慮して、地図上で複数の特徴的な地点を識別表示させることができる。
【００５２】
また、分類対象情報（例えば、画像データ）と関連付けられた分類基準情報（カテゴリーを示す情報）の数がより多いカテゴリーに属する特徴的な地点を優先するように、当該複数の特徴的な地点に係る識別情報の表示態様を決定するので、分類基準情報の数、即ち、分類基準情報と関連付けられた分類対象情報の数の多さにより、特定の対象（例えば、撮像装置１のユーザ）がより好むことが示されたカテゴリーに属する地点の位置を、より優先して表示するようにすることができることから、特定の対象の嗜好がより反映された識別情報の表示態様とすることができる。
【００５３】
また、表示部１１０に表示される地図の縮尺に係る情報に基づいて、識別情報の表示態様を決定するので、地図の縮尺の大小に応じて増減する地図内の地点の数に応じて、識別情報の表示態様を決定することができることから、地図上で位置が示される地点の数を、地図の縮尺に応じたものとすることができ、位置が示される地点の数をより適切な数とすることができる。
また、表示部１１０に表示される地図の所定範囲内に含まれる地点の数に基づいて、識別情報の表示態様を決定するので、地図上で位置が示される地点の数を、地図の所定範囲内に含まれる地点の数の多少に応じたものとすることができ、位置が示される地点の数をより適切な数とすることができる。
【００５４】
また、複数のカテゴリーの中で、撮像部１０２による撮像に基づいて取得された画像データが属する少なくとも一のカテゴリーを特定するので、撮像画像に基づいて、特定の対象（例えば、撮像装置１のユーザ）の嗜好を把握することができる。例えば、撮像装置１を用いて撮像された画像データから、分類基準情報を逐次生成することにより、撮像装置１を用いて撮像を行うユーザの嗜好を随時把握することができることから、把握された嗜好を考慮して、地図上で複数の特徴的な地点を識別表示させることにより、撮像を行うユーザにリアルタイムで地点を案内することができる。
また、複数のカテゴリーの中で少なくともいずれか一のカテゴリーに属する地点の位置を示す位置情報と、画像の撮像位置情報とに基づいて、画像に対応する地点（名称）を特定し、特定された地点が属するカテゴリーを画像データが属するカテゴリーとして特定するので、画像の撮像位置情報に対応する地点が属するカテゴリーを、特定の対象（例えば、撮像装置１のユーザ）の好むカテゴリーを把握するための手かがりとすることができることから、簡易な仕組みで特定の対象の嗜好を把握することができる。
【００５５】
なお、本発明は、上記実施形態に限定されることなく、本発明の趣旨を逸脱しない範囲において、種々の改良並びに設計の変更を行っても良い。
【００５６】
例えば、表示態様決定部１０９は、カウント部１０７によりカウントされた分類基準情報の総数が所定数を超えた場合に、複数の特徴的な地点に係る識別情報の表示態様を決定するようにしてもよい。
具体的には、表示態様決定部１０９は、カウント部１０７によりカウントされた分類基準情報（例えば、画像データが属するカテゴリーを示す情報等）の総数が所定数を超えたか否か判定する。ここで、カウント部１０７によりカウントされた分類基準情報の総数が所定数を超えたと判定された場合に、表示態様決定部１０９は、地図上で識別情報が表示されるカテゴリーの数（優先カテゴリー数）を特定する。そして、表示態様決定部１０９は、特定された数のカテゴリーの優先度に対応する地点の識別情報を地図上で示すように表示態様を決定する。一方、カウント部１０７によりカウントされた分類基準情報の総数が所定数を超えていないと判定された場合に、表示態様決定部１０９は、地点位置情報取得部１０１により取得された地点のうち、表示部１１０に表示される地図上に含まれる全ての地点に対応する識別情報を地図上で示すように表示態様を決定する。
この場合、特定の対象（例えば、撮像装置１のユーザ）の嗜好を十分に把握するために必要と考えられる分類基準情報（カテゴリーを示す情報）の数を所定数とすることによって、特定の対象の嗜好に対応する分類基準情報の計数結果が得られることから、特定の対象の嗜好がより確実に反映された識別情報の表示態様とすることができ、特定の対象の嗜好を考慮して、地図を用いた地点の案内を行うことができる。また、分類基準情報の数が所定数に至らない場合に、表示部１１０に表示される地図上に含まれる全ての地点に対応する識別情報を地図上で示すことで、分類基準情報の数が特定の対象の嗜好を把握するのに十分でない場合にも、地図を用いた地点の案内を行うことができる。
【００５７】
また、画像に含まれる被写体を認識する認識手段を更に備え、カテゴリー特定部１０４ｄは、認識手段による認識結果に基づいて、画像データが属するカテゴリーを特定するようにしてもよい。
具体的には、生成部１０４は、画像認識機能を備えていてもよい。生成部１０４は、被写体を認識するためのパターン画像や特徴点情報等の各種の照合情報を、図示しない記録装置から取得する。そして、生成部１０４は、画像取得部１０４ａにより取得された画像に含まれる被写体と照合情報との照合結果に基づいて、被写体を認識する。ここで、生成部１０４による認識結果は、例えば特定のランドマーク等を特定可能な認識結果であってもよいし、より大まかな被写体のカテゴリー（例えば、海、山、建物等）を示す認識結果であってもよい。また、生成部１０４は、地点特定部１０４ｃにより特定された地点に基づいて、画像認識に用いられる照合情報を限定するようにしてもよい。例えば、生成部１０４は、地点特定部１０４ｃにより特定された地点を基準とした所定範囲内に存するランドマーク等を識別するための照合情報のみ取得し、被写体を認識するようにしてもよい。
カテゴリー特定部１０４ｄは、例えば、生成部１０４による被写体の認識結果に対応する被写体の名称と地点位置情報取得部１０１により取得された地点の名称とを照合し、照合された地点が属するカテゴリーを、当該被写体が含まれる画像データが属するカテゴリーとする。ここで、カテゴリー特定部１０４ｄは、より大まかな被写体のカテゴリーと画像データが属するカテゴリーとが関連付けられた関連付け情報等に基づいて、認識された被写体を含む画像データが属するカテゴリーを特定するようにしてもよい。
この場合、画像に含まれる被写体の認識結果に基づいて、画像データが属するカテゴリーを特定するので、撮像された被写体に基づいて、特定の対象（例えば、撮像装置１のユーザ）の嗜好を把握することができることから、特定の対象の嗜好を考慮して、地図上で複数の特徴的な地点を識別表示させることができる。
また、特定された地点に基づいて、画像認識に用いられる照合情報を限定することで、画像認識処理の負荷を軽減し、より高速に画像認識及びカテゴリーの特定を行うことができる。
【００５８】
また、上記にて説明された画像データが属するカテゴリーの決定方法は、一例であってこれに限られるものでない。例えば、撮像方向（例えば、方位等）を取得するための取得手段（例えば、方位センサ等）を撮像装置１に設け、画像の撮像位置情報及び撮像方向に基づいて、撮像された被写体を特定し、特定された被写体に基づいて、画像データが属するカテゴリーを決定するようにしてもよい。また、撮像された被写体の特定に係り、画像の撮像時のズームの有無や、画像内における被写体の大きさ、高さ等の各種の情報を用いてもよい。
【００５９】
また、上記実施形態において、地点数取得部１０９ｃは、地図取得部１０９ａにより取得された地図上の全域に含まれる地点の数を取得しているが、一例であってこれに限られるものでない。例えば、表示部１１０に表示される地図を所定の画素領域単位で区切り、各画素領域に対応する地図の範囲内に含まれる地点の数を取得するようにしてもよい。
また、識別情報の表示態様の決定に係り、所定数に基づいた地点数取得部１０９ｃによる処理を省略してもよい。
【００６０】
また、上記実施形態にあっては、縮尺取得部１０９ｂにより取得された縮尺に係る情報に基づいて、優先カテゴリー数を決定し、優先カテゴリー数により示される優先度に対応するカテゴリーに属する地点の位置を地図上で示す識別情報の表示態様としているが、一例であってこれに限られるものでない。例えば、各カテゴリー毎の優先度に応じて、地図上で表示される識別情報の表示態様を異ならせるようにしてもよい。この場合、より高い優先度に対応するカテゴリーに属する地点が、より低い優先度に対応するカテゴリーに属する地点よりも容易に識別可能な表示態様となる。例えば、識別情報として表示される指標の大きさや色によって、より高い優先度に対応するカテゴリーに属する地点が、より低い優先度に対応するカテゴリーに属する地点よりも目立つ表示態様となる。
また、地図の縮尺に係る情報の具体的な内容は、適宜変更可能である。例えば、地図の縮尺に係る情報として、地図の縮尺を示す値を用いてもよい。
【００６１】
また、上記実施形態において、各地点や各画像は、一つのカテゴリーに属しているが、一例であってこれに限られるものでない。例えば、各地点や各画像は、二つ以上のカテゴリーに属してもよい。
また、一の名称により示されるカテゴリーが、二以上のカテゴリーに含まれてもよい。例えば、「駅」のカテゴリーに属する分類基準情報と関連付けられた分類対象情報は、「駅」のカテゴリーの計数に際して分類基準情報が計数されると共に、「駅」の上位である「建物」のカテゴリーの計数に際して分類基準情報が計数されるようにしてもよい。
また、上記にて示したカテゴリー、位置情報、各種のテーブル等の具体的内容はあくまで一例であり、適宜変更可能である。
また、上記実施形態において、各画像データは、Ｅｘｉｆ情報によりカテゴリーと関連付けられているが、一例であってこれに限られるものでない。例えば、画像データが属するカテゴリーを示すテーブルデータやデータベース等を設けてもよい。
【００６２】
また、上記実施形態にあっては、撮像部１０２により撮像された画像に基づいて、地点の位置を表示部１１０に表示される地図上で示す識別情報の表示態様を決定する撮像装置１について説明しているが、一例であってこれに限られるものでない。例えば、本発明の実施形態は、撮像部１０２や、表示部１１０を備えていない表示制御装置であってもよい。
また、分類基準情報取得部１０６は、生成部１０４により生成された画像データのＥｘｉｆ情報から分類基準情報を取得しているが、一例であってこれに限られるものでない。例えば、分類基準情報取得部１０６は、分類対象情報と関連付けられた分類基準情報が予め記録された記録媒体Ｃから、分類基準情報を読み出して取得するようにしてもよい。また、分類基準情報取得部１０６は、インターネットその他の通信網に接続された記録装置から、通信を介して、分類基準情報を取得するようにしてもよい。
また、分類対象情報は、画像データに限らない。例えば、各ユーザにより作成されたテキストデータ（例えば、ホームページ等）を分類対象情報とし、テキストデータに含まれる各種のキーワードを分類基準情報とし、各キーワードの使用回数をカウントして、テキストデータにおける各キーワードの使用回数のカウント結果に基づいて、キーワードが属するカテゴリーに対応する地点の位置を地図上で示す識別情報の表示態様を決定するようにしてもよい。この場合、分類基準情報と関連付けられた分類対象情報の各ユーザ毎に分類基準情報を取得し、各カテゴリーの分類基準情報の数を各ユーザ毎に計数し、各ユーザ毎の計数結果に基づいて、識別情報の表示態様を決定することで、各ユーザの嗜好を考慮して、地図上で複数の特徴的な地点を識別表示させることができる。なお、このテキストデータの例に限らず、特定の対象に係る取得原から得られる分類基準情報であれば、本発明に適用することができる。
また、識別情報の表示態様は、適宜変更可能である。例えば、表示態様決定部１０９は、地点の位置情報に含まれる高度の値に基づいて、標高（海抜）等の高度を示す地図上で地点を示す識別情報の表示態様を決定するようにしてもよい。
【００６３】
また、上記実施形態において、カウント部１０７は、生成部１０４による画像データの生成時に逐次カウントを行っているが、一例であってこれに限られるものでない。例えば、カウント部１０７は、記録媒体Ｃに予め記録された複数の分類基準情報を読み出して、複数の分類基準情報のカウントを一度に行うようにしてもよい。
【００６４】
また、上記実施形態にあっては、撮像装置１により撮像された画像に基づいて、撮像装置１のユーザに係る分類基準情報を取得しているが、一例であってこれに限られるものでない。例えば、ユーザを示す情報（ＩＤ等）と関連付けられた分類基準情報や分類対象情報を各ユーザ毎に取得するようにしてもよい。
また、上記実施形態にあっては、優先度設定部１０８により分類基準情報の計数結果に応じた優先度の設定が行われているが、一例であってこれに限られるものでない。例えば、表示態様決定部１０９が、表示処理に際して、計数テーブルＴ２を読み出して各カテゴリーの優先度を設定するようにしてもよい。
【００６５】
また、上記実施形態にあっては、中央制御部１１２のＣＰＵの制御下にて、分類基準情報取得部１０６、カウント部１０７、地点位置情報取得部１０１、表示態様決定部１０９等が駆動することにより実現される構成としたが、これに限られるものではなく、ＣＰＵによって所定のプログラム等が実行されることにより実現される構成としてもよい。
即ち、プログラムを記録するプログラムメモリ（図示略）に、分類基準情報取得ルーチン、計数ルーチン、位置情報取得ルーチン、表示態様決定ルーチン等を含むプログラムを記録しておく。そして、分類基準情報取得ルーチンによりＣＰＵが、分類対象情報と関連付けられ、当該分類対象情報を複数のカテゴリーのうちの少なくとも何れか一のカテゴリーに分類するための基準となる分類基準情報を各ユーザ毎に取得するようにしてもよい。また、計数ルーチンによりＣＰＵが、取得された前記分類基準情報の数を各カテゴリー毎に計数するようにしてもよい。また、位置情報取得ルーチンによりＣＰＵが、前記複数のカテゴリーの各々に属し、表示手段に表示された地図上で表示可能な特徴的な地点の位置情報を複数取得するようにしてもよい。また、表示態様決定ルーチンによりＣＰＵが、各カテゴリー毎に計数された前記分類基準情報の数の計数結果に基づいて、前記複数の位置情報に対応する複数の特徴的な地点を前記地図上で識別表示するための識別情報の表示態様を決定するようにしてもよい。
【００６６】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００６７】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
分類対象情報と関連付けられ、当該分類対象情報を複数のカテゴリーのうちの少なくとも何れか一のカテゴリーに分類するための基準となる分類基準情報を取得する第１取得手段と、
この第１取得手段により取得された前記分類基準情報の数を各カテゴリー毎に計数する計数手段と、
前記複数のカテゴリーの各々に属し、表示手段に表示された地図上で表示可能な特徴的な地点の位置情報を複数取得する第２取得手段と、
前記計数手段による計数結果に基づいて、前記第２取得手段により取得された前記複数の位置情報に対応する複数の特徴的な地点を前記地図上で識別表示するための識別情報の表示態様を決定する決定手段と、
を備えることを特徴とする表示制御装置。
＜請求項２＞
前記決定手段は、更に、前記複数の特徴的な地点のうち、前記計数手段により計数された前記分類基準情報の数がより多いカテゴリーに属する特徴的な地点を優先するように、当該複数の特徴的な地点に係る前記識別情報の表示態様を決定することを特徴とする請求項１に記載の表示制御装置。
＜請求項３＞
前記決定手段は、更に、前記計数手段により計数された前記分類基準情報の総数が所定数を超えた場合に、前記複数の特徴的な地点に係る前記識別情報の表示態様を決定することを特徴とする請求項１又は２に記載の表示制御装置。
＜請求項４＞
前記決定手段は、更に、前記表示手段に表示される地図の縮尺に係る情報に基づいて、前記複数の特徴的な地点に係る前記識別情報の表示態様を決定することを特徴とする請求項１〜３の何れか一項に記載の表示制御装置。
＜請求項５＞
前記決定手段は、更に、前記表示手段に表示される地図の所定範囲内に含まれる特徴的な地点の数に基づいて、前記複数の特徴的な地点に係る前記識別情報の表示態様を決定することを特徴とする請求項１〜４の何れか一項に記載の表示制御装置。
＜請求項６＞
前記第１取得手段は、前記分類基準情報を各ユーザ毎に取得し、
前記計数手段は、各カテゴリーの前記分類基準情報の数を各ユーザ毎に計数し、
前記決定手段は、前記係数手段による各ユーザ毎の計数結果に基づいて、前記識別情報の表示態様を各ユーザ毎に決定することを特徴とする請求項１〜５の何れか一項に記載の表示制御装置。
＜請求項７＞
画像情報を前記分類対象情報として取得する第３取得手段と、
前記複数のカテゴリーの中で、前記第３取得手段により取得された画像情報が属する少なくとも一のカテゴリーを特定する第１特定手段と、
この第１特定手段により特定された少なくとも一のカテゴリーに前記画像情報を分類するための基準となる前記分類基準情報を生成する生成手段と、を更に備え、
前記第１取得手段は、前記生成手段により生成された前記分類基準情報を取得することを特徴とする請求項１〜６の何れか一項に記載の表示制御装置。
＜請求項８＞
前記第２取得手段により取得された前記位置情報と前記画像情報の撮像位置情報とに基づいて、当該画像情報に対応する特徴的な地点を特定する第２特定手段を更に備え、
前記第１特定手段は、前記複数のカテゴリーのうち、前記第２特定手段により特定された特徴的な地点が属するカテゴリーを前記画像情報が属するカテゴリーとして特定することを特徴とする請求項７に記載の表示制御装置。
＜請求項９＞
前記画像情報に含まれる被写体を認識する認識手段を更に備え、
前記第１特定手段は、前記認識手段による認識結果に基づいて、前記複数のカテゴリーの中で、前記画像情報が属する少なくとも一のカテゴリーを特定することを特徴とする請求項７又は８に記載の表示制御装置。
＜請求項１０＞
表示制御装置を用いた表示制御方法であって、
分類対象情報と関連付けられ、当該分類対象情報を複数のカテゴリーのうちの少なくとも何れか一のカテゴリーに分類するための基準となる分類基準情報を取得するステップと、
取得された前記分類基準情報の数を各カテゴリー毎に計数するステップと、
前記複数のカテゴリーの各々に属し、表示手段に表示された地図上で表示可能な特徴的な地点の位置情報を複数取得するステップと、
各カテゴリー毎に計数された前記分類基準情報の数の計数結果に基づいて、前記複数の位置情報に対応する複数の特徴的な地点を前記地図上で識別表示するための識別情報の表示態様を決定するステップと、
を有することを特徴とする表示制御方法。
＜請求項１１＞
表示制御装置のコンピュータを、
分類対象情報と関連付けられ、当該分類対象情報を複数のカテゴリーのうちの少なくとも何れか一のカテゴリーに分類するための基準となる分類基準情報を取得する手段、
取得された前記分類基準情報の数を各カテゴリー毎に計数する手段、
前記複数のカテゴリーの各々に属し、表示手段に表示された地図上で表示可能な特徴的な地点の位置情報を複数取得する手段、
各カテゴリー毎に計数された前記分類基準情報の数の計数結果に基づいて、前記複数の位置情報に対応する複数の特徴的な地点を前記地図上で識別表示するための識別情報の表示態様を決定する手段、
として機能させるためのプログラム。
【符号の説明】
【００６８】
１        撮像装置
１０１    地点位置情報取得部
１０２    撮像部
１０３    位置特定部
１０４    生成部
１０４ａ  画像取得部
１０４ｂ  撮像位置取得部
１０４ｃ  地点特定部
１０４ｄ  カテゴリー特定部
１０５    記録媒体制御部
１０６    分類基準情報取得部
１０７    カウント部
１０８    優先度設定部
１０９    表示態様決定部
１０９ａ  地図取得部
１０９ｂ  縮尺取得部
１０９ｃ  地点数取得部
１１０    表示部
１１０ａ  表示制御部
１１０ｂ  表示パネル
１１１    操作入力部
１１２    中央制御部
Ｃ        記録媒体
Ｔ１      地点位置情報テーブル
Ｔ２      計数テーブル
Ｔ３      優先度テーブル
Ｔ４      優先カテゴリー数特定テーブル
【図１】
2014035384.tif 000003
【図２】
2014035384.tif 000004
【図３】
2014035384.tif 000005
【図４】
2014035384.tif 000006
【図５】
2014035384.tif 000007
【図６】
2014035384.tif 000008
【図７】
2014035384.tif 000009
【図８】
2014035384.tif 000010
【図９】
2014035384.tif 000011
【図１０】
2014035384.tif 000012
【図１１】
2014035384.tif 000013